(57)【要約】【課題】高強度でありながら加工性に優れ、無害且つ耐摩耗性・耐久性にも優れる空気振動子を備えた新規な歯科用エアスケーラーを提供する。【解決手段】手持操作される円筒状ハンドピース本体１と、圧縮空気により振動する空気振動子２と、この振動子２に連結されて振動が伝播されるスケーラーチップ３とよりなる歯科用エアスケーラーＡであって、上記空気振動子２が、上記圧縮空気が基端開放部より導入される筒状の振動子本体２ｂと、該振動子本体２ｂの筒壁に穿設された空気噴出用小孔２ｄを覆うように該振動子本体２ｂに遊嵌された回転リング２ｃとよりなり、上記振動子本体２ｂが、銅及び亜鉛を主成分とする銅合金によって形成されているものとする。【選択図】図２
2004351120.tif 000002
【特許請求の範囲】
【請求項１】
手持操作されるハンドピース本体と、圧縮空気により振動する空気振動子と、この振動子に連結されて振動が伝播されるスケーラーチップとよりなる歯科用エアスケーラーであって、
上記空気振動子が、上記圧縮空気が基端開放部より導入される筒状の振動子本体と、該振動子本体の筒壁に穿設された空気噴出用小孔を覆うように該振動子本体に遊嵌された回転リングとよりなり、
上記振動子本体が、銅及び亜鉛を主成分とする銅合金によって形成されていることを特徴とする歯科用エアスケーラー。
【請求項２】
請求項１に記載の歯科用エアスケーラーにおいて、
上記銅合金の組成が、銅６２〜８０重量％、珪素１．８〜４．５重量％、残部が亜鉛であることを特徴とする歯科用エアスケーラー。
【請求項３】
請求項１に記載の歯科用エアスケーラーにおいて、
上記銅合金の組成が、銅６０．５〜６３．５重量％、ビスマス０．５〜２．０重量％、錫０．５〜１．８重量％、ニッケル０．２〜０．７重量％、鉄０．０４〜０．４重量％、アンチモン０．０２〜０．１０重量％、りん０．０４〜０．１５重量％、残部が亜鉛であることを特徴とする歯科用エアスケーラー。
【請求項４】
請求項２又は３に記載の歯科用エアスケーラーにおいて、
上記組成の銅合金は、４００〜６００℃で３０分〜５時間熱処理されたものであることを特徴とする歯科用エアスケーラー。
【請求項５】
手持操作されるハンドピース本体と、圧縮空気により振動する空気振動子と、この振動子に連結されて振動が伝播されるスケーラーチップとよりなる歯科用エアスケーラーであって、
上記空気振動子が、上記圧縮空気が基端開放部より導入される筒状の振動子本体と、該振動子本体の筒壁に穿設された空気噴出用小孔を覆うように該振動子本体に遊嵌された回転リングとよりなり、
上記振動子本体及び／又は上記回転リングの表面に、硬度５００ＨＶ以上のニッケルめっきが施されていることを特徴とする歯科用エアスケーラー。
【請求項６】
請求項５に記載の歯科用エアスケーラーにおいて、
上記５００ＨＶ以上の硬度が、ニッケルめっきを施した後加熱処理することにより得られたものであることを特徴とする歯科用エアスケーラー。
【請求項７】
請求項５に記載の歯科用エアスケーラーにおいて、
上記ニッケルめっきが、無電解めっきによるものであることを特徴とする歯科用エアスケーラー。
【請求項８】
請求項５乃至７のいずれかに記載の歯科用エアスケーラーにおいて、
上記ニッケルめっきが、ニッケル−ホウ素めっき、ニッケル−りんめっき及びニッケル−テフロン（登録商標）めっきのいずれかから選ばれたものであることを特徴とする歯科用エアスケーラー。
【請求項９】
手持操作されるハンドピース本体と、圧縮空気により振動する空気振動子と、この振動子に連結されて振動が伝播されるスケーラーチップとよりなる歯科用エアスケーラーであって、
上記空気振動子が、上記圧縮空気が基端開放部より導入される筒状の振動子本体と、該振動子本体の筒壁に穿設された空気噴出用小孔を覆うように該振動子本体に遊嵌された回転リングとよりなり、
上記振動子本体が、請求項１乃至４のいずれかに記載された銅合金により形成されると共に、該振動子本体及び／又は上記回転リングの表面に請求項５乃至８のいずれかに記載されたニッケルめっきが施されていることを特徴とする歯科用エアスケーラー。
【発明の詳細な説明】
【０００１】
【発明の属する技術分野】
本発明は、空気振動子の振動をスケーラーチップに伝播させ、その振動作用により歯垢の除去や歯面清掃を行う歯科用エアスケーラーの改良に関する。
【０００２】
【従来の技術】
歯科診療においては、上記のようなエアスケーラーが広く用いられている。このようなエアスケーラーは、圧縮空気をその駆動媒体とするものであり、超音波振動式のように電源を必要とせず、歯科診療システムで常設される圧縮空気の供給システムをそのまま用いることができることから、最も汎用化されているスケーラーである。特許文献１には、このような歯科用エアスケーラーの一例が開示されており、その概略構成は以下の通りである。
【０００３】
即ち、上記歯科用エアスケーラーにおける空気振動子は、円筒状の振動子本体と、該振動子本体の外周に遊嵌された回転リングとより構成される。そして、上記振動子本体は、手持操作される円筒状ハンドピース本体内にＯリング等の緩衝材を介して支持され、該振動子本体の先端部にスケーラーチップを螺装固定すると共に、その基端開放部より圧縮空気を導入し、振動子本体の筒壁に穿設された空気噴出用小孔より圧縮空気を噴出させることにより、この小孔穿設位置を含んで振動子本体の外周に遊嵌された回転リングを振動させ、この回転リングの振動の反力により振動子本体をも振動させんとするものである。この振動子の振動はスケーラーチップに伝播され、その振動作用により、歯垢の除去や歯面清掃がなされるのである。
【０００４】
【特許文献１】
特公昭６４−１０２２３号公報
【０００５】
【発明が解決しようとする課題】
そして、上記空気振動子を構成する振動子本体は、一般にベリリウム銅や洋白（洋銀）等の銅合金によって形成されていた。これらの銅合金は、高強度であるが加工性が悪い為に、加工工数を要し、寸法精度も得難いと言う問題があった。また、その表面にはクロムめっき処理が施されるが、クロムめっき層は剥離し易く、膜厚コントロールも難しく、更には摩擦係数が高い為に振動における耐久性が悪い等の問題点があった。上記問題点は、口腔内で使用される歯科用エアスケーラーにおいては、その安全性とも関係して重要であり、相互に振動接触し合う回転リングの材質と共に抜本的な改善が望まれるところであった。
【０００６】
本発明は上記のような実情に鑑みなされたものであり、高強度でありながら加工性に優れ、無害且つ耐摩耗性・耐久性にも優れる空気振動子を備えた新規な歯科用エアスケーラーを提供するものである。
【０００７】
【課題を解決するための手段】
上記課題を解決するために、請求項１の発明に係る歯科用エアスケーラーは、手持操作されるハンドピース本体と、圧縮空気により振動する空気振動子と、この振動子に連結されて振動が伝播されるスケーラーチップとよりなる歯科用エアスケーラーであって、上記空気振動子が、上記圧縮空気が基端開放部より導入される筒状の振動子本体と、該振動子本体の筒壁に穿設された空気噴出用小孔を覆うように該振動子本体に遊嵌された回転リングとよりなり、上記振動子本体が、銅及び亜鉛を主成分とする銅合金によって形成されていることを特徴とする。
【０００８】
上記構成において、銅及び亜鉛を主成分とする銅合金は、高強度でありながら加工性、特に切削加工性（被削性）に優れるから、振動子本体が効率的且つ高精度で製作される。このような銅合金としては、その組成が、銅６２〜８０重量％、珪素１．８〜４．５重量％、残部が亜鉛である（請求項２）ものや、銅６０．５〜６３．５重量％、ビスマス０．５〜２．０重量％、錫０．５〜１．８重量％、ニッケル０．２〜０．７重量％、鉄０．０４〜０．４重量％、アンチモン０．０２〜０．１０重量％、りん０．０４〜０．１５重量％、残部が亜鉛である（請求項３）ものが望ましく採用される。
【０００９】
上記組成の銅合金は、特開２０００−１１９７７５号公報及び特開２０００−１６９９１９号公報に開示されたものと同等であり、これら公報において、鉛を全く含まず、被削性に富むものであることが実証されている。因みに、上記特開２０００−１６９９１９号公報に開示される銅合金は、同件の出願人である三宝伸銅工業株式会社より、商品名「エコブラス」として商品化されている。従って、このような銅合金の特性は、歯科用エアスケーラーの振動子のように、小部品であるが故に高い寸法精度（加工精度）を要し、常時振動による衝撃が付加されるが故に強度及び耐磨耗性・耐久性が求められ、しかも口腔内に挿入される為に無害性（安全性）が要求されるものにとっては極めて有効である。更に、この銅合金を、４００〜６００℃で３０分〜５時間熱処理されたもの（請求項４）とすれば、より被削性が良好となり、上記空気振動子への適性が一層増大する。その他、上記公報に記載された組成の銅合金も、本発明において採用可能である。
【００１０】
請求項５の発明に係る歯科用エアスケーラーは、上記振動子本体及び／又は上記回転リングの表面に、硬度５００ＨＶ以上のニッケルめっきが施されていることを特徴とする。このようなニッケルめっきは、下地金属との密着性が良く、従来のクロムめっきのように剥離することがなく、しかも硬質で滑りが良いから、耐摩耗性・耐久性に優れる。特に、常時振動により触れ合う上記振動子本体及び回転リングの表面処理として極めて有効である。上記５００ＨＶ以上の硬度は、ニッケルめっきを施した後加熱処理すれば（請求項６）、より一層確実に得られる。
【００１１】
また、請求項７の発明のように、上記ニッケルめっきを無電解めっきによるものとすれば、めっき層の付き廻りが良く、膜厚コントロールがし易く、品質及び生産性の向上が図られる。斯かるニッケルめっきとしては、ニッケル−ホウ素めっき、ニッケル−りんめっき及びニッケル−テフロン（登録商標）めっきのいずれかから選ばれたもの（請求項８）が望ましく採用される。これらのニッケルめっきは、滑り性が良く、また耐食性及び耐摩耗性に優れることで特筆されるが、特にニッケル−ホウ素めっきは、密着性が高く且つ耐摩耗性もより優れることから、振動子本体及び回転リングへの適性が大であり、最も望ましく採用されるものである。
【００１２】
請求項９の発明に係る歯科用エアスケーラーは、上記振動子本体の材質として、請求項１乃至４のいずれかに記載された銅合金を採用すると共に、該振動子本体及び／又は上記回転リングの表面に請求項５乃至８のいずれかに記載されたニッケルめっきを施こしたことを特徴とするものである。このような特定の材質と特定の表面処理の併用により、両特性が相乗し、歯科用エアスケーラーの空気振動子としての上記適性が更に増大することになる。
【００１３】
【発明の実施の形態】
以下に本発明の実施の形態について説明する。図１（ａ）は本発明を採用した歯科用エアスケーラーＡを示す外観正面図、図１（ｂ）は図１（ａ）における右側面図、図２（ａ）は図１（ｂ）におけるＺ−Ｚ線断面図、図２（ｂ）は図１（ｂ）におけるＹ−Ｙ線断面、図３は図２（ａ）におけるＸ部の拡大図、図４は図２（ａ）におけるＷ部の拡大図である。図において、１はハンドピース本体であり、手指で把持操作し易いように略円筒形のグリップ状に形成されている。該ハンドピース本体１内の芯体１ａには、Ｏリング等の複数の緩衝材２ａを介して空気振動子２が振動可能に支持されている。
【００１４】
上記振動子２は、基端２ｅが開放された円筒状の振動子本体２ｂと、該振動子本体２ｂの外周に遊嵌されたステンレス等で加工形成された回転リング２ｃとよりなり、該回転リング２ｃは振動子本体２ｂの筒壁に穿孔された空気噴出用小孔２ｄを塞ぐように配設されている。図４では、誇張する為に、振動子本体２ｂと回転リング２ｃとの間隙を明確に描いているが、実際には両者が擦れ合う程度の間隙である。この振動子本体２ｂの先端部にはスケーラーチップ３が着脱可能に螺装されている。振動子本体２ｂの中心部を、スケーラチップ３内に設けられた図示しない管路に後記する歯牙等への注水用の水を供給するための給水管路１００が貫き、振動子本体２ｂの内周と給水管路１００の外周の間には、Ｏリング１０１が介在されている。この先側のＯリングにより振動子本体２ｂにおける給水管路１００の周囲の内部空間２ｂｒの先端部は封止されている。上記ハンドピース本体１の芯体１ａには圧縮空気の給気管路４と排気管路５とが形設されており、該給気管路４は上記振動子本体２ｂの開放された基端部２ｅに通じ、また排気管路５の起点部は振動子本体２ｂの外周部分とされている。
【００１５】
斯くして、該基端開放部２ｅから導入された圧縮空気は、振動子本体２ｂ内を流れるが、その先端部はＯリング１０１で封止されているから、上記空気噴出用小孔２ｄから噴出しようとする。空気噴出用小孔２ｄの形成位置には回転リング２ｃが遊嵌されているから、この噴出の際に回転リング２ｃの振動を伴いながら、振動子本体２ｂとの間の上記小隙を通り、排気管路５を経て図の矢印のように排出される。この時、回転リング２ｃの振動の反力により、振動子本体２ｂも振動し、この振動がスケーラーチップ３に伝播される。
【００１６】
ハンドピース本体１の基端部はカップリング部６とされ、該カップリング部６には、図外のコンプレッサーに連接された給気管路ｈ１及び排気管路ｈ２を内装する駆動媒体供給ホースｈが着脱可能に接続されるようになされている（図３参照）。このホースｈがカップリング部６を介し接続された時には、該ホースｈ内の給気管路ｈ１及び排気管路ｈ２が、ハンドピース本体１内の上記給気管路４及び排気管路５に夫々接続されることになる。
【００１７】
７は給水管路であり、その先は上記振動子本体２ｂ内を経てスケーラーチップ３の先端部付近に及んでいる。該給水管路７は、カップリング部６を介して上記ホースｈと接続した時には、ホースｈに内装された給水管路ｈ３に連結され、これによりスケーラーチップ３の先端部から歯牙等に向け注水が可能とされている。６ａは、カップリング部６を介したホースｈとの接続状態において、ハンドピースＡがホースｈに対してその軸心の廻りに回動可能とする転動ボールであり、その周方向に複数配列されている。これによりハンドピース本体１を把持操作して治療作業等を行う場合の操作性が向上する。
【００１８】
給気管路４により供給される圧縮空気は、上記したように、振動子本体２ｂの基端開放部２ｅから該本体２ｂの筒内に導入される。導入された圧縮空気は、上記通気用小孔２ｄより筒外に噴出されるが、この噴出側には回転リング２ｃが遊嵌状態で存在するから、この噴出作用により回転リング２ｃが振動する。この時、振動子本体２ｂは、ハンドピース本体１の芯体１ａに対してＯリング等の緩衝材２ａにのみ支持されているから、回転リング２ｃの振動の反作用を受けて同時に振動する。この振動はスケーラーチップ３に伝播され、歯面清掃、歯垢の除去等に供せられる。また、この振動は、緩衝材２ａを介しているから、ハンドピース本体１には伝播されず、術者に不快感を与えることがない。スケーラーチップ３の先端部での振動の周波数は５．５〜６ＫＨｚが、振幅は１００〜２００μｍが、上記歯面清掃や歯垢等の除去には好適とされ、後記する排気調整機構８によってこのような出力制御がなされる。
【００１９】
上記のように空気振動子２の振動に供せられた圧縮空気は、排気管路５を経て排出される。この排気管路５の途中には排気調整機構８が配設されており、この排気調整機構８により排出空気の排気調整をし、上記空気振動子２の出力調整がなされる。この排気調整機構８は、ハンドピース本体１の基端部に設けられており、術者によるハンドピース本体１の把持操作の際に不意に触れることがないようになされている。
【００２０】
９は、排気調整機構８を構成する操作リングであり、ハンドピース本体１の軸芯の廻りに回動可能とされ、その外面には回動操作し易いようにカット面９ａが削成されている。また、ハンドピース本体１の外面には、出力目安を示す目印９ｂが刻印等で付されており、操作リング９側にはポイントマーク９ｃが付され、両者の合致位置がその時の出力程度を表す。図１（ａ）の例は、３段階の出力調整が可能で、その中間の出力状態に設定されていることを示す。
【００２１】
次に、排気調整機構８の概略について説明する。図３に示すように、ハンドピース本体１の芯体１ａには周体に幅狭扇形の切欠部１ｂが形成され、一方ハンドピース本体１の内周にはリング状弁座部材１ｃが上記切欠部１ｂを含む芯体１ａの周体に外嵌するよう螺装固定されている。この弁座部材１ｃの内周と芯体１ａとにより囲まれた切欠部１ｂが、排気管路５の途中に位置する弁口１０ａとされ、その周辺部分が弁座部１０とされる。また、図３に示すように、操作リング９の内周部にはリング状弁体１１が連成一体に形成され、該弁体１１の内周には上記弁口１０ａと略同曲率且つ弧長がやや大きい幅狭扇形の切欠１１ａが形成されている。
【００２２】
上記弁体１１は、弁座部１０に対してハンドピース本体１の基端部側からスラスト方向に当接合体するよう配置され、更に圧縮ばね（弾性部材）１２により、後記する位置決めリング１３及び締付リング１５を介して同方向に弾性付勢されている。この弾性付勢により当接合体面の気密性が良好に維持され、排出空気の漏れがなく、精度の高い出力制御が可能となる。
【００２３】
そして、操作リング９の回動操作により、弁座部１０の弁口１０ａに対して、切欠１１ａを含む弁体１１が弾性摺接して回動し、その結果弁口１０ａの開度が切欠１１ａにより変化する。即ち、操作リング９の回動操作により、弁口１０ａを通過する排出空気の流量が調整され、前記空気振動子２の出力制御がなされる。弁口１０ａを通過して流量が調整された排出空気は、芯体１ａに径方向に開設された複数の透孔１ｄ…より、カップリング部６に接続されるホースｈ内の排気管路ｈ２を経て排出される。
【００２４】
１４は、上記弁口１０ａの開度調整を段階的に行う位置決め手段であり、操作リング９の内周部には上記弁体１１に隣接して位置決めリング（雄ねじリング）１３が螺装固定されている。該位置決めリング１３の内周部には開度幅を規制する切欠溝１３ａが形成され、更にこの切欠溝１３ａの底部に遠心方向に凹む凹部（不図示）が３箇所に形成されている。一方、芯体１ａには遠心方向に弾力付勢された湾曲板ばね（ばね材）１３ｃが取付けられており、この板ばね１３ｃの湾曲頂部に上記凹部に嵌り込み得る突形部材１３ｄが設けられている。これら切欠溝１３ａ、凹部、板ばね１３ｃ及び突形部材１３ｄにより位置決め手段１４が構成される。この位置決め手段１４を構成する各部材の位置関係は、芯体１ａ及び位置決めリング１３間で逆であっても良い。
【００２５】
１５は操作リング９に対する位置決めリング１３の相対位置を設定する為の締付リング（雄ねじリング）であり、この締付リング１５と位置決めリング１３とによりダブルナット手段１６が構成される。従って、使用目的によって弁口１０ａの最大開度が出力として過大であるような場合には、このダブルナット手段１６により操作リング９に対する位置決めリング１３の相対位置を、事前に適宜初期設定しておくことができる。
【００２６】
本発明者は、従来、この種振動子として多く採用されてきた一般的な洋白と、本発明との差を確認するため、それぞれの試験片を用いて疲労特性評価を行った。試験片には、エアスケーラーの振動子に近い形状に形成され、組成が銅６２．９３重量％、鉛１．１５重量％、マンガン０．２４重量％、ニッケル１７．１７重量％、残部が亜鉛の洋白と、銅７５．５重量％、珪素３．０重量％、残部が亜鉛の本発明に係る銅合金とを用いた。１０７回強の回数、一定の負荷を繰り返しかけて疲労評価特性を測定したところ、終始洋白よりも本発明の試験片の方が耐久性の点で勝っていた。このように、繰り返す負荷に対する耐久性が勝るので、振動子の材質として、好適であることが確認された。
【００２７】
以上のような確認試験を繰り返し実施した結果、振動子を構成する振動子本体の材質として、銅６２〜７８重量％と、珪素２．５〜４．５重量％、錫０．３〜３．０重量％、アルミニウム１．０〜２．５重量％及びりん０．０２〜０．２５重量％から選択された１種以上の元素と、マンガン０．７〜３．５重量％及びニッケル０．７〜３．５重量％から選択された１種以上の元素とを、ビスマス０．０２〜０．４重量％、テルル０．０２〜０．４重量％及びセレン０．０２〜０．４重量％から選択された１種以上の元素とを含有し、且つ残部が亜鉛からなる組成の銅合金を４００〜６００℃で３０分〜５時間熱処理したものを採用し、また、振動子本体及び回転リングの表面に、ホウ素含有量が１〜７重量％の無電解ニッケル−ホウ素めっきを施し、これを３５０℃で４０分熱処理したものを採用した場合が、振動子としての性能に優れまた耐久性も最もすぐれていることが知見された。
【００２８】
上記のように、排気調整機構８によって排出空気の排気調整がされることによって、空気振動子２の出力が調整される。振動子本体２ｂは、ハンドピース本体１に内装されるべく細長筒状に形成され、しかも出力調整された振動を先端に接続されるスケーラーチップ３に的確に伝播することが求められると共に、スケーラーチップ３から強いストレスを受けるものである。従って、極めて高い寸法精度と強靭性が求められるが、被削性に優れ且つ高強度の前記組成の銅合金は、その適性が頗る大である。また、口腔内で使用されるこの種エアスケーラーにおいては、鉛等の有害物質を含まないことは特に有用である。
【００２９】
また、振動子本体２ｂはその外周に遊嵌された回転リング２ｃと共に振動するから、常時両者の間で振動による触れ合いが生じることになる。従って、その表面は耐摩耗性及び耐久性が求められるが、前記ニッケルめっき層はこのような特性を兼ね備え、しかも密着性がよく剥離し難く、膜厚コントロールも容易であるので、振動子本体２ｂ及び／又は回転リング２ｃへの適用のメリットは極めて大である。
【００３０】
【発明の効果】
請求項１の発明に係る歯科用エアスケーラーによれば、銅及び亜鉛を主成分とする銅合金は、高強度でありながら加工性、特に切削加工性（被削性）に優れるから、振動子本体が効率的且つ高精度で製作される。このような銅合金として、請求項２或いは請求項３の組成の銅合金を採用すれば、歯科用エアスケーラーの振動子のように、小部品であるが故に高い寸法精度（加工精度）を要し、常時振動による衝撃が付加されるが故に強度及び耐磨耗性・耐久性が求められ、しかも口腔内に挿入される為に無害性（安全性）が要求されるものにとっては極めて有効である。更に、請求項４の発明のように熱処理をしたものを採用すれば、より被削性が良好となり、上記空気振動子への適性が一層増大する。
【００３１】
また、請求項５又は６の発明に係る歯科用エアスケーラーのように、空気振動子を構成する振動子本体及び／又は上記回転リングの表面に、硬度５００ＨＶ以上のニッケルめっきを施すようにすれば、従来のクロムめっきのように剥離することがなく、しかも硬質で滑りが良いから、耐摩耗性・耐久性に優れる。特に、常時振動により触れ合う上記振動子本体及び回転リングの表面処理として極めて有効である。更に、請求項７の発明のように、上記ニッケルめっきを無電解めっきによるものとすれば、めっき層の付き廻りが良く、膜厚コントロールがし易く、品質及び生産性の向上が図られる。
【００３２】
加えて、請求項８の発明のように、ニッケルめっきとして、ニッケル−ホウ素めっき、ニッケル−りんめっき及びニッケル−テフロン（登録商標）めっきのいずれかから選ばれたものを採用すれば、滑り性が良く、また耐食性及び耐摩耗性に一層優れると共に、密着性が高く、歯科用エアスケーラーにおける振動子本体及び回転リングへの適性が更に増大する。請求項９の発明に係る歯科用エアスケーラーにおいては、上記両特性が相乗し、歯科用エアスケーラーの空気振動子としての上記適性が一層増大することになる。
【図面の簡単な説明】
【図１】（ａ）は本発明を採用した歯科用エアスケーラーを示す外観正面図、（ｂ）は（ａ）における右側面図である。
【図２】（ａ）は図１（ｂ）におけるＺ−Ｚ線断面図、図２（ｂ）は図１（ｂ）におけるＹ−Ｙ線断面である。
【図３】図２（ａ）におけるＸ部の拡大図である。
【図４】図２（ａ）におけるＷ部の拡大図である。
【符号の説明】
Ａ      歯科用エアスケーラー
１      ハンドピース本体
２      空気振動子
２ｂ    振動子本体
２ｃ    回転リング
２ｄ    空気噴出用小孔
２ｅ    基端開放部
３      スケーラーチップ
【図１】
2004351120.tif 000003
【図２】
2004351120.tif 000004
【図３】
2004351120.tif 000005
【図４】
2004351120.tif 000006